(57)【特許請求の範囲】
【請求項１】
光源ユニットと、
器具本体とを備え、
前記器具本体は、
内部に前記光源ユニットが配置され、前記光源ユニットの光出射側に開口を有する筒体部と、
前記開口に蓋をするように設けられた枠体部とを備え、
前記筒体部と前記枠体部との間には、前記器具本体の内部空間と外部空間とを連通する水抜き用の連通孔が設けられており、
前記枠体部は、前記筒体部の内部に位置し、
前記連通孔は、前記枠体部と前記筒体部の内面との間の隙間であり、前記内部空間の下方に位置している
照明器具。
【請求項２】
前記連通孔は、前記開口の全周に沿った環状の隙間である
請求項１に記載の照明器具。
【請求項３】
前記枠体部は、ネジによって前記筒体部に固定されている
請求項１又は２に記載の照明器具。
【請求項４】
前記筒体部は、
前記器具本体の外郭を形成する筒状の外周壁と、
前記外周壁の内部に設けられ、前記外周壁の内面同士を連結する連結板とを有し、
前記枠体部は、
筒状の内周壁と、
前記内周壁の前記開口側の先端から外方に向かって延設された環状の鍔とを有し、
前記光源ユニットは、前記内周壁の内部に位置し、
前記連通孔は、前記鍔の先端と前記外周壁との間の隙間である
請求項１〜３のいずれか１項に記載の照明器具。
【請求項５】
前記鍔は、前記筒体部の前記開口より奥に位置している
請求項４に記載の照明器具。
【請求項６】
前記鍔の先端は、テーパを有する
請求項４又は５に記載の照明器具。
【請求項７】
前記連結板には、板厚方向に貫通する１以上の貫通孔が前記外周壁に沿って設けられている
請求項４〜６のいずれか１項に記載の照明器具。
【請求項８】
前記１以上の貫通孔は、前記連結板を平面視した場合に、対称な位置に設けられている
請求項７に記載の照明器具。
【請求項９】
前記筒体部は、前記外周壁と前記内周壁との間に位置し、前記連結板から前記鍔に向かって突出した凸部を備え、
前記凸部の突出方向における先端部には、前記枠体部と前記筒体部とを固定するためのネジが挿入されるネジ穴が設けられている
請求項４〜８のいずれか１項に記載の照明器具。
【発明の詳細な説明】
【技術分野】
【０００１】
本発明は、照明器具に関する。
【背景技術】
【０００２】
従来、防水構造を有する照明器具が知られている（例えば、特許文献１参照）。特許文献１の照明器具は、光源と、光源を収容する器具本体とを備え、器具本体の底壁に水抜き穴が設けられている。
【先行技術文献】
【特許文献】
【０００３】
【特許文献１】特開２００５−１５８４０４号公報
【発明の概要】
【発明が解決しようとする課題】
【０００４】
しかしながら、上記従来の照明器具では、外観に水抜き穴が見えるために美観上好ましくない。一方で、水抜き穴を設けないと、器具本体の内部に水が溜まり、照明器具の故障の原因となる。
【０００５】
そこで、本発明は、美観に与える影響を抑制しながら水抜き用の孔が設けられた照明器具を提供することを目的とする。
【課題を解決するための手段】
【０００６】
上記目的を達成するため、本発明の一態様に係る照明器具は、光源ユニットと、器具本体とを備え、前記器具本体は、内部に前記光源ユニットが配置され、前記光源ユニットの光出射側に開口を有する筒体部と、前記開口に蓋をするように設けられた枠体部とを備え、前記筒体部と前記枠体部との間には、前記器具本体の内部空間と外部空間とを連通する連通孔が設けられている。
【発明の効果】
【０００７】
本発明によれば、美観に与える影響を抑制しながら水抜き用の孔が設けられた照明器具を提供することができる。
【図面の簡単な説明】
【０００８】
【図１】実施の形態に係る照明器具の斜視図である。
【図２】実施の形態に係る照明器具の一部分解斜視図である。
【図３】実施の形態に係る光源ユニットの分解斜視図である。
【図４】実施の形態に係る照明器具の光軸を通る断面であって、図６に示すＩＶ−ＩＶ線における断面を示す断面図である。
【図５】実施の形態に係る照明器具の光軸を通る断面であって、図６に示すＶ−Ｖ線における断面を示す断面図である。
【図６】実施の形態に係る筒体部の下面図である。
【図７】実施の形態に係る照明器具の下面図である。
【図８Ａ】実施の形態に係る鍔の先端形状を示す断面図である。
【図８Ｂ】実施の形態に係る鍔の先端形状の別の例を示す断面図である。
【図９】実施の形態に係る器具本体の内部への水の侵入経路と排出経路とを示す断面図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略一致又は略直角などの表現を用いている。例えば、略一致は、完全に一致することを意味するだけでなく、実質的に一致する、すなわち、例えば数％程度の誤差を含むことも意味する。他の「略」を用いた表現についても同様である。
【００１１】
（実施の形態）
［照明器具］
まず、本実施の形態に係る照明器具の概要について、図１を用いて説明する。図１は、本実施の形態に係る照明器具１の斜視図である。
【００１２】
本実施の形態に係る照明器具１は、所定の設置面に直接取り付けられて設置面の前方に光を放射する。所定の設置面は、天井、壁又は床などである。具体的には、照明器具１は、天井に取り付けられて下方に光を放射するシーリングダウンライトである。照明器具１は、屋内だけでなく、屋外で使用される。照明器具１は、例えば、建物の軒下、渡り廊下などの屋外で使用される。
【００１３】
図１に示すように、照明器具１は、筒状の照明器具であり、筒の軸に沿った方向（ｚ軸方向の負側）に光を放射する。本実施の形態では、照明器具１の光軸Ｊは、筒の軸に略一致する。
【００１４】
なお、以下の説明に用いる各図面において、光軸Ｊに沿った方向をｚ軸方向とし、光軸Ｊに直交し、かつ、互いに直交する２つの方向をｘ軸方向及びｙ軸方向とする。また、以下の説明では、ｚ軸方向の正側を「上」、「上側」又は「上方」と記載し、ｚ軸方向の負側を「下」、「下側」又は「下方」と記載する場合がある。例えば、図１は、照明器具１が天井に取り付けられた場合において、斜め下方から見上げたときの照明器具１を示している。
【００１５】
図２は、本実施の形態に係る照明器具１の一部分解斜視図である。
【００１６】
図２に示すように、照明器具１は、光源ユニット１０と、器具本体２０と、取付部３０と、ネジ４０とを備える。照明器具１は、器具本体２０と、取付部３０とによって外囲器が構成されている。
【００１７】
以下では、照明器具１が備える各構成要素について詳細に説明する。
【００１８】
［光源ユニット］
光源ユニット１０は、図２に示すように、全体形状が円盤状又は扁平状であるフラット薄型構造のＬＥＤ（Ｌｉｇｈｔ  Ｅｍｉｔｔｉｎｇ  Ｕｎｉｔ）ユニットである。以下では、光源ユニット１０の詳細な構成について、図３を用いて説明する。
【００１９】
図３は、本実施の形態に係る光源ユニット１０の分解斜視図である。
【００２０】
図３に示すように、光源ユニット１０は、光源モジュール１１と、支持台１２と、筐体１３と、反射板１４と、透光性カバー１５と、接続ピン１６と、ネジ１７及び１８とを備える。光源ユニット１０は、支持台１２と、筐体１３と、透光性カバー１５とによって外囲器が構成されている。光源ユニット１０の口金構造としては、例えば、ＧＸ５３口金又はＧＨ７６ｐ口金が採用されている。
【００２１】
光源モジュール１１は、光源ユニット１０における光源であり、白色などの所定の色（波長）の光を放出する。光源モジュール１１は、支持台１２に載置されて支持台１２に固定される。光源モジュール１１は、回路基板（図示せず）から供給される電力によって発光する。光源モジュール１１から放出された光は、透光性カバー１５を透過して光源ユニット１０の外部に出射される。
【００２２】
光源モジュール１１は、図３に示すように、基板１１１と、複数のＬＥＤ１１２とを備える。光源モジュール１１は、ベアチップ（ＬＥＤ１１２）が基板１１１上に直接実装された、いわゆるＣＯＢ（Ｃｈｉｐ  Ｏｎ  Ｂｏａｒｄ）構造を有する。
【００２３】
基板１１１は、例えば、接着剤などによって支持台１２に固着されている。基板１１１の形状は、例えば、矩形であるが、六角形などの多角形又は円形でもよい。基板１１１としては、セラミックス基板、樹脂基板又はメタルベース基板を用いることができる。基板１１１には、金属配線（図示せず）が形成され、複数のＬＥＤ１１２を電気的に接続している。
【００２４】
ＬＥＤ１１２は、発光素子の一例であり、所定の電力により発光する半導体発光素子である。ＬＥＤ１１２は、例えば、単色の可視光を発するベアチップであり、具体的には、通電されれば青色光を発する青色発光ＬＥＤチップである。複数のＬＥＤ１１２は、基板１１１の主面上において、複数列に又はマトリクス状に配置されている。
【００２５】
なお、複数のＬＥＤ１１２は、封止部材によって一括封止されている。例えば、複数のＬＥＤ１１２は、素子列毎に一括封止されてもよく、あるいは、基板１１１上の全てのＬＥＤ１１２が一括封止されてもよい。
【００２６】
封止部材は、例えば、シリコーン樹脂などの透光性樹脂材料を主成分として含み、ＬＥＤ１１２からの光の波長を変換する波長変換材を含んでいてもよい。波長変換材は、例えば、蛍光体粒子であり、具体的には、黄色蛍光体粒子である。本実施の形態では、ＬＥＤ１１２からの青色光と、黄色蛍光体粒子が青色光によって励起されて発する黄色光とが混合されることにより、光源モジュール１１は、白色光を発する。
【００２７】
なお、光源モジュール１１は、ＳＭＤ（Ｓｕｒｆａｃｅ  Ｍｏｕｎｔｅｄ  Ｄｅｖｉｃｅ）型のモジュールでもよい。具体的には、基板１１１上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップ（ＬＥＤ１１２）と、凹部内に封入された封止部材（蛍光体含有樹脂）とを備える。
【００２８】
支持台１２は、光源モジュール１１及び筐体１３を支持する支持部材である。支持台１２は、光源モジュール１１で発生する熱を放熱するヒートシンクとしても機能する。したがって、支持台１２は、アルミニウムなどの金属材料又は熱伝導率の高い樹脂材料から形成される。
【００２９】
支持台１２は、熱伝導シート（図示せず）を介して器具本体２０に接続される。支持台１２は、筐体１３及び接続ピン１６とともに器具本体２０に接続される所定の口金として機能する。光源ユニット１０は、器具本体２０のソケットに適合する規格化された口金構造を有している。口金構造としては、例えば、ＧＸ５３口金又はＧＨ７６ｐ口金を利用することができる。
【００３０】
筐体１３は、光源モジュール１１を収納する平盤状の円筒部材である。筐体１３は、光放射側（ｚ軸方向の負側）に設けられた第１開口部１３１と、光放射側の反対側（ｚ軸方向の正側）に設けられた第２開口部１３２とを有する。第１開口部１３１には、透光性カバー１５が取り付けられている。
【００３１】
筐体１３は、例えば、３本のネジ１７によって支持台１２に固定される。筐体１３の第２開口部１３２は、支持台１２によって塞がれている。筐体１３は、例えば、ポリブチレンテレフタレート（ＰＢＴ）などの絶縁性樹脂材料から形成される。なお、筐体１３は、樹脂製ではなく、金属製でもよい。
【００３２】
反射板１４は、反射機能を有する反射部材である。反射板１４は、筐体１３と透光性カバー１５とに挟持されている。
【００３３】
反射板１４は、筒形状を有し、光源モジュール１１からの光が入射する入射口１４１と、入射口１４１から入射した光が出射する出射口１４２とを有する。入射口１４１は、光源モジュール１１の発光領域（複数のＬＥＤ１１２）を囲むように位置している。本実施の形態では、反射板１４は、内径が入射口１４１から出射口１４２に向かって漸次大きくなるように構成された円錐台筒状である。
【００３４】
反射板１４の内面は、光源モジュール１１からの光を反射する反射面である。反射面は、入射口１４１から入射した光を反射させて出射口１４２から出射するように形成されている。出射口１４２から出射された光は、透光性カバー１５に導かれる。
【００３５】
反射板１４は、例えば、絶縁性を有する硬質の白色樹脂材料から形成される。なお、反射率を高めるために、樹脂製の反射板１４の内面に、銀又はアルミニウムなどの金属材料から形成される金属蒸着膜（反射膜）をコーティングしてもよい。また、樹脂材料を用いずに、反射板１４の全体をアルミニウムなどの金属材料を用いて形成してもよい。
【００３６】
透光性カバー１５は、光源モジュール１１から放出される光をランプ外部に取り出すために透光性材料から形成されている。透光性材料としては、例えば、アクリル（ＰＭＭＡ）、ポリカーボネート（ＰＣ）などの樹脂材料を利用することができる。なお、透光性カバー１５は、光拡散性を有しない透明カバーでもよく、光拡散性を持たせた拡散構造を有してもよい。透光性カバー１５は、ネジ１８によって筐体１３に固定されている。
【００３７】
接続ピン（口金ピン）１６は、導電ピンであり、光源モジュール１１を発光させるための電力をランプ外部から受電する機能を有する。つまり、接続ピン１６は、電源供給用の電気接続ピンである。
【００３８】
例えば、一対の接続ピン１６によって、外部電源（例えば商用電源）から所定の交流電力を受電する。受電した交流電力は、駆動回路（図示せず）に供給されて直流電力に変換される。変換された直流電力が光源モジュール１１に供給されることで、複数のＬＥＤ１１２が発光する。
【００３９】
接続ピン１６は、光源ユニット１０を器具本体２０に取り付けるための取付部としても機能する。具体的には、接続ピン１６が器具本体２０のソケットに接続されることによって、光源ユニット１０は器具本体２０に保持される。
【００４０】
ネジ１７は、筐体１３を支持台１２に固定するための固定部材の一例である。ネジ１７は、例えばタッピンネジであるが、特に限定されない。
【００４１】
ネジ１８は、透光性カバー１５を筐体１３に固定するための固定部材の一例である。ネジ１８は、例えばタッピンネジであるが、特に限定されない。
【００４２】
本実施の形態では、光源ユニット１０は、防水構造を有しない。光源ユニット１０は、例えば、透光性カバー１５と反射板１４又は筐体１３との間にパッキンなどの防水機能を実現可能な部材を備えない。その代わりに、器具本体２０が、光源ユニット１０が配置される第１空間２３１（図４及び図５参照）に水が侵入しにくくなる構造を有する。なお、光源ユニット１０は、防水構造を有してもよい。
【００４３】
このように、本実施の形態に係る照明器具１によれば、光源ユニット１０に防水機能の有無は問われないので、光源ユニット１０として利用可能な光源の種類が多くなり、汎用性を高めることができる。
【００４４】
［器具本体］
図４は、本実施の形態に係る照明器具１の光軸Ｊを通る断面であって、後述する図６（又は図７）に示すＩＶ−ＩＶ線における断面を示す断面図である。具体的には、図４は、照明器具１の光軸Ｊと複数のネジ４０とを通る断面を示している。
【００４５】
図５は、本実施の形態に係る照明器具１の光軸Ｊを通る断面であって、後述する図６に示すＶ−Ｖ線における断面を示す断面図である。具体的には、図５は、照明器具１の光軸Ｊと貫通孔２１７（図６参照）を通る断面を示している。
【００４６】
器具本体２０は、照明器具１の本体であり、図１に示すように、筒体部２１と、枠体部２２とを備える。器具本体２０は、内部空間２３に光源ユニット１０を収納する。具体的には、図４及び図５に示すように、内部空間２３は、光源ユニット１０が配置される第１空間２３１と、第２空間２３２とを含んでいる。第１空間２３１及び第２空間２３２はそれぞれ、筒体部２１と枠体部２２とが組み合わされることで形成された空間である。
【００４７】
内部空間２３は、器具本体２０の内部に設けられた空間であり、光源ユニット１０が配置される。図４及び図５に示すように、内部空間２３は、第１空間２３１及び第２空間２３２を有する。
【００４８】
第１空間２３１は、内周壁２２１によって囲まれた空間である。すなわち、第１空間２３１は、略円柱体状の空間である。具体的には、図４及び図５に示すように、第１空間２３１は、内周壁２２１と、連結板２１２と、鍔２２２と、透光性カバー２６とによって囲まれた空間である。本実施の形態では、第１空間２３１は、密閉されている。
【００４９】
第２空間２３２は、内周壁２２１と外周壁２１１とによって囲まれた空間である。すなわち、第２空間２３２は、略円筒体形状（略円環状）の空間である。具体的には、図４及び図５に示すように、内周壁２２１と、外周壁２１１と、連結板２１２と、鍔２２２とによって囲まれた空間である。
【００５０】
本実施の形態では、器具本体２０は、防水構造を有する。具体的には、器具本体２０は、器具本体２０内に侵入した水を逃がすための空間として第２空間２３２が形成され、第１空間２３１に水が侵入しないように構成されている。これにより、器具本体２０は、第１空間２３１に配置された光源ユニット１０を水から保護する。
【００５１】
［筒体部］
図２に示すように、筒体部２１は、内部に光源ユニット１０が配置され、光源ユニット１０の光出射側に開口２１３を有する。本実施の形態では、筒体部２１は、略円筒体形状を有する。
【００５２】
図２に示すように、筒体部２１は、外周壁２１１と、連結板２１２と、開口２１３と、凸部２１４と、凸部２１４に設けられたネジ穴２１５とを有する。また、図６に示すように、筒体部２１は、パッキン２１６と、連結板２１２に設けられた貫通孔２１７及び挿通孔２１８とを有する。なお、図６は、本実施の形態に係る筒体部２１の下面図である。
【００５３】
外周壁２１１は、器具本体２０の外郭を形成する筒状の壁部である。本実施の形態では、外周壁２１１は、略円筒体形状を有する。外周壁２１１は、外径が略均一の直筒形状を有する。例えば、外周壁２１１の外径は、１４０ｍｍである。光軸Ｊに沿った方向において、外周壁２１１の一方の端部に開口２１３が設けられ、他方の端部には、取付部３０が取り付けられる。
【００５４】
連結板２１２は、外周壁２１１の内部に設けられ、外周壁２１１の内面同士を連結している。図４及び図５に示すように、連結板２１２は、開口２１３より奥に位置し、かつ、取付部３０から離れた位置に位置している。連結板２１２と取付部３０との間には、所定の空間が形成されて、端子台などが配置される。
【００５５】
連結板２１２には、光源ユニット１０の口金（例えば、ＧＸ５３口金又はＧＨ７６ｐ口金）に適合するソケットが設けられている。これにより、連結板２１２に光源ユニット１０が取り付けられる。
【００５６】
連結板２１２には、図６に示すように、４つの貫通孔２１７と、２つの挿通孔２１８とが設けられている。なお、貫通孔２１７及び挿通孔２１８の数は、特に限定されず、１つのみでもよい。
【００５７】
開口２１３は、筒体部２１の光放射側（ｚ軸方向の負側）の開口であり、枠体部２２によって閉じられている。具体的には、図１に示すように、枠体部２２は、開口２１３の奥に位置している。すなわち、枠体部２２は、落し蓋のように筒体部２１の内部に位置している。
【００５８】
凸部２１４は、外周壁２１１と枠体部２２の内周壁２２１との間に位置し、連結板２１２から鍔２２２に向かって突出した凸部である。凸部２１４の突出方向（ｚ軸方向の負側）の先端部には、ネジ穴２１５が設けられている。
【００５９】
本実施の形態では、凸部２１４の先端部は、鍔２２２の上面に接触している。図４に示すように、凸部２１４の根元部は、外周壁２１１に接続している。これにより、凸部２１４の強度を増し、かつ、作り込みの精度を高めることができる。具体的には、ダイカスト法によって筒体部２１を形成する際に、凸部２１４の先端部にまで金属材料を充分に行き渡らせることができる。
【００６０】
ネジ穴２１５は、枠体部２２と筒体部２１とを固定するためのネジ４０が挿入される。本実施の形態では、鍔２２２と凸部２１４とが接触しているので、ネジ４０によって、枠体部２２と筒体部２１とを安定して強固に固定することができる。
【００６１】
パッキン２１６は、連結板２１２に取り付けられている。パッキン２１６は、枠体部２２と筒体部２１との間の隙間を埋めるシール材である。具体的には、図４及び図５に示すように、パッキン２１６は、内周壁２２１と連結板２１２との間の隙間を埋めている。パッキン２１６は、内周壁２２１の先端（上端）に沿って所定幅を有する略円環状に設けられている。パッキン２１６は、例えば、ゴムなどの樹脂材料から形成される。
【００６２】
貫通孔２１７は、板厚方向（ｚ軸方向）に貫通する貫通孔であり、外周壁２１１に沿って設けられている。本実施の形態では、貫通孔２１７は、外周壁２１１と連結板２１２との間の隙間である。図６に示すように、４つの貫通孔２１７は、連結板２１２を平面視した場合に、対称な位置に設けられている。具体的には、４つの貫通孔２１７は、互いに同じ形状であり、光軸Ｊを軸として回転対称な位置に設けられている。貫通孔２１７の形状は、所定幅の円弧形状を有する。当該所定幅は、例えば、２ｍｍである。なお、複数の貫通孔２１７は、回転対称に限らず、線対称又は点対称な位置に設けられていてもよい。
【００６３】
挿通孔２１８は、板厚方向に貫通する貫通孔であり、取付部３０の取付棒３４が挿通される。挿通孔２１８は、細長い鍵穴状に、幅が広い幅広部２１８ａと、幅が狭い幅狭部２１８ｂとを有する。図６に示すように、平面視（下面視）において、幅広部２１８ａは、略円形を有し、幅狭部２１８ｂは、外周壁２１１に沿った所定幅の円弧形状を有する。幅広部２１８ａは、取付棒３４の胴体部３４１が挿通可能な幅を有し、幅狭部２１８ｂは、取付棒３４のくびれ部３４２より太く、取付棒３４の胴体部３４１よりは細い。
【００６４】
筒体部２１は、例えば、アルミニウム合金を用いたアルミダイカスト製である。具体的には、外周壁２１１、連結板２１２及び凸部２１４は、ダイカスト法により一体に形成されている。なお、筒体部２１は、金属材料ではなく、樹脂材料から形成されてもよい。
【００６５】
［枠体部］
枠体部２２は、開口２１３に蓋をするように設けられている。枠体部２２は、図１に示すように、ネジ４０によって筒体部２１に固定されている。図２に示すように、枠体部２２は、筒状の内周壁２２１と、環状の鍔２２２と、鍔２２２に設けられたネジ孔２２３とを有する。
【００６６】
内周壁２２１は、光源ユニット１０の周を囲むように位置する筒状の壁部である。本実施の形態では、内周壁２２１は、略円筒形状を有し、外周壁２１１と略同心軸に位置する。内周壁２２１は、外径が略均一の直筒形状を有する。なお、図４及び図５に示すように、内周壁２２１は、厚みが上端（ｚ軸方向の正側の端部）程、細くなり、その分、外径が小さくなっているが、内周壁２２１の形状は特に限定されない。内周壁２２１の外径の平均値は、例えば１００ｍｍである。
【００６７】
内周壁２２１の上端は、図４及び図５に示すように、連結板２１２との間にパッキン２１６を挟んでいる。これにより、内周壁２２１の上端と連結板２１２との間の隙間をパッキン２１６によって埋めることができるので、当該隙間を介して水が第１空間２３１に侵入するのを抑制することができる。
【００６８】
鍔２２２は、内周壁２２１の開口２１３側（ｚ軸方向の負側）の先端（すなわち、下端）から外方に向かって延設されている。具体的には、鍔２２２は、内周壁２２１の下端から外方及び内方に向かって略直角に延設された略円環状の枠である。鍔２２２の幅方向における中央部分に、環状の内周壁２２１が立設している。
【００６９】
本実施の形態では、鍔２２２は、筒体部２１の開口２１３（具体的には、筒体部２１の下端）から所定距離、光源ユニット１０に近い位置に位置している。すなわち、鍔２２２は、開口２１３より奥（上方）に位置している。これにより、鍔２２２と外周壁２１１との間に設けられる連通孔２４も開口２１３より奥に位置するので、連通孔２４を目立たなくすることができる。
【００７０】
ネジ孔２２３は、ネジ４０が挿入される穴である。ネジ４０のネジ頭が突出しないように、ネジ孔２２３は、凹部（ザグリ部）と、当該凹部の底面に形成された貫通孔とを有する。当該貫通孔にネジ４０の軸が挿入されて、ネジ頭が凹部に当接することで、枠体部２２を筒体部２１に固定する。
【００７１】
枠体部２２は、例えば、アルミニウム合金を用いたアルミダイカスト製である。なお、枠体部２２は、金属材料ではなく、樹脂材料から形成されてもよい。
【００７２】
［パッキン、透光性カバー、枠体及びネジ］
パッキン２５は、枠体部２２と透光性カバー２６とに挟まれて、枠体部２２と透光性カバー２６との間の隙間を埋めるシール材である。パッキン２５は、例えば、ゴムなどの樹脂材料から形成される。パッキン２５は、略円環状を有する。図４及び図５に示すように、パッキン２５は、透光性カバー２６の端部と枠体部２２の鍔２２２の内側の端部との間に挟まれている。
【００７３】
透光性カバー２６は、透光性を有する略円板状のカバーであり、枠体部２２の光放射側の開口を覆う。透光性カバー２６は、例えば、アクリル、ポリカーボネートなどの透光性樹脂材料又はガラスなどから形成される。
【００７４】
透光性カバー２６は、枠体２７と枠体部２２の鍔２２２の内周側の部分との間に挟持されている。具体的には、透光性カバー２６は、図４及び図５に示すように、略円板の外周端部に立設した環状の壁が設けられている。当該環状の壁の先端が枠体２７によって押圧されることによって、透光性カバー２６は、パッキン２５を挟んで鍔２２２との間に固定される。
【００７５】
このとき、透光性カバー２６と鍔２２２との間にパッキン２５が挟まれることにより、パッキン２５が変形し、透光性カバー２６と鍔２２２との隙間を略確実に埋めることができる。これにより、第１空間２３１の密閉性を高めることができる。
【００７６】
枠体２７は、透光性カバー２６を固定するための略円環状の枠体である。図５に示すように、枠体２７には、ネジが挿通されるネジ孔が設けられている。枠体２７は、例えば、アルミニウムなどの金属材料又は樹脂材料から形成されている。
【００７７】
［取付部］
取付部３０は、器具本体２０を天井などの設置面に取り付けるための取付部である。取付部３０は、図２に示すように、パッキン３１と、金属板３２と、支持金具３３と、取付棒３４とを備える。
【００７８】
パッキン３１は、略円板状のシール材である。パッキン３１は、天井などの設置面と器具本体２０とに挟まれて、設置面と器具本体２０との隙間を埋める。パッキン３１は、例えば、ゴムなどの樹脂材料から形成される。
【００７９】
パッキン３１には、照明器具１の内部に電力を供給するためのリード線が挿通される挿通孔（図示せず）が形成されている。また、パッキン３１には、設置面に固定するための取付ネジが挿通されるための挿通孔（図示せず）が形成されている。
【００８０】
金属板３２は、パッキン３１に固定された金属板であり、例えば、鉄、アルミニウムなどから形成されている。金属板３２にも、パッキン３１と同様に、リード線又は取付ネジ用の挿通孔が形成されている。金属板３２は、設置面への取り付けを強固にすることができる。金属板３２は、例えば、板金をプレス加工することにより形成される。
【００８１】
金属板３２には、取付棒３４を支持する支持金具３３が固定されている。支持金具３３は、２つの取付棒３４を支持する。支持金具３３は、例えば、鉄、アルミニウムなどの板金をプレス加工することにより形成される。
【００８２】
取付棒３４は、器具本体２０の筒体部２１を取付部３０に固定するための棒状部材である。取付棒３４は、図２に示すように、胴体部３４１と、くびれ部３４２とを有する。胴体部３４１は、筒体部２１の挿通孔２１８の幅広部２１８ａに挿通可能な太さであり、かつ、幅狭部２１８ｂには挿通できない太さである。くびれ部３４２は、幅狭部２１８ｂに挿通可能な太さである。
【００８３】
取付棒３４を根元（くびれ部３４２）まで幅広部２１８ａに挿入した後、取付棒３４を幅狭部２１８ｂに移動させることで、取付棒３４が幅狭部２１８ｂに引っかかる。これにより、取付部３０に筒体部２１を固定することができる。
【００８４】
なお、本実施の形態では、２つの挿通孔２１８は、同じ形状を有し、光軸Ｊを中心軸として回転対称な位置に設けられている。これにより、取付棒３４を幅広部２１８ａに挿入した後、筒体部２１を回動させることにより、取付棒３４を幅狭部２１８ｂに移動させることができる。
【００８５】
また、胴体部３４１とくびれ部３４２とは、例えば、位置を調整することができる。例えば、胴体部３４１は雌ねじを有し、くびれ部３４２は雄ねじを有する。具体的には、胴体部３４１がナットに相当し、くびれ部３４２はボルトに相当する。これにより、胴体部３４１を軸周りに回転させることで、筒体部２１（連結板２１２）を挟んで締めることができる。したがって、筒体部２１と取付部３０とを強固に固定することができる。
【００８６】
［ネジ］
ネジ４０は、筒体部２１と枠体部２２とを固定する固定部材の一例である。ネジ４０は、例えば、タッピンネジであるが特に限定されない。ネジ４０は、例えば、金属材料から形成されるが、樹脂材料から形成されてもよい。また、本実施の形態では、照明器具１は、２つのネジ４０を備えるが、ネジ４０の個数も特に限定されない。
【００８７】
［連通孔］
ここで、水抜き用の連通孔２４の詳細について、図面を用いて説明する。
【００８８】
図７は、本実施の形態に係る照明器具１の下面図である。
【００８９】
連通孔２４は、器具本体２０の内部空間２３と外部空間とを連通する貫通孔である。図７に示すように、連通孔２４は、筒体部２１と枠体部２２との間に、開口２１３の全周に沿って環状に設けられている。つまり、連通孔２４は、下面視形状が略円周形状を有する。連通孔２４の幅は、例えば２ｍｍであるが特に限定されない。連通孔２４は、図４及び図５に示すように、鍔２２２の先端と外周壁２１１との間の隙間である。
【００９０】
図８Ａは、本実施の形態に係る鍔２２２の先端形状を示す断面図である。具体的には、図８Ａは、図５の連通孔２４の近傍を拡大して示す図である。
【００９１】
本実施の形態に係る鍔２２２の先端は、テーパを有する。具体的には、鍔２２２は、水平面２２２ａと、傾斜面２２２ｂとを有する。
【００９２】
水平面２２２ａは、筒体部２１の開口２１３の開口面に平行な面である。水平面２２２ａは、照明器具１が天井に取り付けられた場合に水平になる。
【００９３】
傾斜面２２２ｂは、鍔２２２の先端に設けられ、水平面２２２ａに対して開口２１３側に傾斜している。図８Ａに示す例では、傾斜面２２２ｂは、傾斜角が一定の平面であるが、これに限定されない。傾斜面２２２ｂは、上方に凸の湾曲面でもよい。すなわち、鍔２２２の先端は、曲面（アール）を有してもよい。
【００９４】
これにより、水が傾斜面２２２ｂに沿って流れやすくなり、連通孔２４を介して外に排出されやすくなる。
【００９５】
なお、鍔２２２は、先端だけでなく、全体がテーパを有してもよい。図８Ｂは、本実施の形態に係る鍔２２２の先端形状の別の例を示す断面図である。
【００９６】
図８Ｂに示すように、鍔２２２は、傾斜面２２２ｃを有する。傾斜面２２２ｃは、鍔２２２の根元（具体的には、内周壁２２１との接続部分）から先端に向かうに連れて、開口２１３側に傾斜している。すなわち、鍔２２２の厚みは、内周壁２２１から連通孔２４に向かう方向に漸次薄くなっていてもよい。
【００９７】
これにより、水が傾斜面２２２ｃに沿って流れやすくなり、連通孔２４を介して外に排出されやすくなる。
【００９８】
［水の侵入経路と排出経路］
続いて、照明器具１の器具本体２０の内部空間２３への水の侵入経路と排出経路とについて、図面を用いて説明する。
【００９９】
図９は、本実施の形態に係る器具本体２０の内部空間２３への水の侵入経路と排出経路とを示す断面図である。本実施の形態では、図９に示すように、照明器具１は、天井２に取り付けられる。
【０１００】
照明器具１が屋外に設置される場合、風雨に曝され、あるいは、湿気などにより、器具本体２０の内部空間２３に水が侵入する恐れがある。例えば、器具本体２０と天井２との隙間（具体的には、筒体部２１と取付部３０との間）などから、水が侵入する場合が考えられる。
【０１０１】
本実施の形態に係る照明器具１によれば、図９に示すように、侵入した水は、貫通孔２１７及び連通孔２４を通って外部に排出される。つまり、侵入した水は、第２空間２３２を下方に向けて進んで外部に排出される。光源ユニット１０が配置された第１空間２３１は、第２空間２３２とは分離されているため、第２空間２３２内を通過する水は、第１空間２３１には侵入しない。
【０１０２】
なお、第１空間２３１と外部空間との間には、パッキン２５が設けられている。したがって、パッキン２５が外部空間から第１空間２３１に直接侵入しようとする水を防ぐことができるので、第１空間２３１には水がほとんど侵入しない。
【０１０３】
以上のように、本実施の形態に係る照明器具１によれば、光源ユニット１０を水から適切に保護することができる。
【０１０４】
［効果など］
以上のように、本実施の形態に係る照明器具１は、光源ユニット１０と、器具本体２０とを備え、器具本体２０は、内部に光源ユニット１０が配置され、光源ユニット１０の光出射側に開口２１３を有する筒体部２１と、開口２１３に蓋をするように設けられた枠体部２２とを備え、筒体部２１と枠体部２２との間には、器具本体２０の内部空間２３と外部空間とを連通する連通孔２４が設けられている。
【０１０５】
このように、器具本体２０には、筒体部２１と枠体部２２との間に連通孔２４が設けられているので、器具本体２０の内部空間２３に侵入した水を外部に排出することができる。したがって、器具本体２０の内部に水が溜まりにくくすることができる。また、連通孔２４は、筒体部２１と枠体部２２との間に設けられており、目立ちにくい。このため、連通孔２４による美観に与える影響を抑制することができる。よって、本実施の形態に係る照明器具１によれば、美観に与える影響を抑制しながら水抜き用の孔が設けられた照明器具を提供することができる。
【０１０６】
また、例えば、連通孔２４は、筒体部２１と枠体部２２との間の隙間であって、開口２３の全周に沿った環状の隙間である。
【０１０７】
このように、連通孔２４は、開口２１３の全周に沿って環状に設けられているので、器具本体２０内への水の侵入位置に依らずに、侵入した水を均等に排出することができる。つまり、器具本体２０内に水が溜まりやすい場所が形成されにくくすることができる。これにより、器具本体２０に溜まった水をスムーズに排出することができる。また、ユーザが照明器具１を一見したとき、連通孔２４が水抜き用の孔であるとは気付きにくい。例えば、連通孔２４は、筒体部２１と枠体部２２との繋ぎ目として認識され、あるいは、デザイン的に設けられた環状の溝として認識されやすい。このため、連通孔２４が照明器具１の美観に与える影響を抑制することができる。
【０１０８】
また、例えば、枠体部２２は、ネジ４０によって筒体部２１に固定されている。
【０１０９】
このように、枠体部２２が筒体部２１にネジ４０によって固定されているので、枠体部２２を強固に固定することができる。これにより、例えば、枠体部２２と筒体部２１とが組み合わされて形成される第１空間２３１の密閉性を高めることができ、第１空間２３１に配置された光源ユニット１０を、例えば水などから適切に保護することができる。したがって、光源ユニット１０の故障などが発生しにくく、信頼性の高い照明器具１を実現することができる。
【０１１０】
また、例えば、筒体部２１は、器具本体２０の外郭を形成する筒状の外周壁２１１と、外周壁２１１の内部に設けられ、外周壁２１１の内面同士を連結する連結板２１２とを有し、枠体部２２は、筒状の内周壁２２１と、内周壁２２１の開口２１３側の先端から外方に向かって延設された環状の鍔２２２とを有し、光源ユニット１０は、内周壁２２１の内部に位置し、連通孔２４は、鍔２２２の先端と外周壁２１１との間の隙間である。
【０１１１】
このように、連通孔２４は鍔２２２の先端と外周壁２１１との間に設けられているので、ユーザが照明器具１を一見したときに、連通孔２４が水抜き用の孔であることは気付きにくい。例えば、連通孔２４は、筒体部２１と枠体部２２との繋ぎ目としてより認識されやすくなる。したがって、連通孔２４が照明器具１の美観に与える影響を抑制することができる。
【０１１２】
また、例えば、鍔２２２は、筒体部２１の開口２１３より奥に位置している。
【０１１３】
このように、鍔２２２が開口２１３より奥に位置しているので、鍔２２２の先端と外周壁２１１との間に設けられた連通孔２４も、開口２１３より奥に位置している。これにより、連通孔２４をより目立ちにくくすることができるので、照明器具１の美観に与える影響を抑制することができる。
【０１１４】
また、例えば、鍔２２２の先端は、テーパを有する。
【０１１５】
このように、鍔２２２の先端がテーパを有するので、鍔２２２の上面に溜まった水がテーパに沿って連通孔２４に向かって流れやすくなる。これにより、器具本体２０内に水がより溜まりにくくすることができる。
【０１１６】
また、例えば、連結板２１２には、板厚方向に貫通する１以上の貫通孔２１７が外周壁２１１に沿って設けられている。
【０１１７】
このように、連結板２１２と外周壁２１１との間には１以上の貫通孔２１７が設けられているので、外周壁２１１の上方から水が器具本体２０内に侵入した場合でも、貫通孔２１７及び連通孔２４を介して外部に水を排出することができる。これにより、器具本体２０内に水がより溜まりにくくすることができる。
【０１１８】
また、例えば、１以上の貫通孔２１７は、連結板２１２を平面視した場合に、対称な位置に設けられている。
【０１１９】
これにより、例えば、複数の貫通孔２１７が対称な位置に設けられているので、水が一部に偏って溜まることを抑制することができる。したがって、器具本体２０内に水がより溜まりにくくすることができる。
【０１２０】
また、例えば、筒体部２１は、外周壁２１１と内周壁２２１との間に位置し、連結板２１２から鍔２２２に向かって突出した凸部２１４を備え、凸部２１４の突出方向における先端部には、枠体部２２と筒体部２１とを固定するためのネジ４０が挿入されるネジ穴２１５が設けられている。
【０１２１】
このように、外周壁２１１と内周壁２２１との間に設けられた凸部２１４にネジ穴２１５が設けられているので、筒体部２１と枠体部２２とをネジ４０で固定しつつ、枠体部２２の外周に沿って連通孔２４を設けることができる。これにより、筒体部２１と枠体部２２とを強固に固定することができ、光源ユニット１０を適切に保護することができ、かつ、水抜き用の環状の連通孔２４を設けることができる。
【０１２２】
（その他）
以上、本発明に係る照明器具について、上記実施の形態及びその変形例に基づいて説明したが、本発明は、上記の実施の形態に限定されるものではない。
【０１２３】
例えば、上記の実施の形態では、筒体部２１が略円筒形状である例について示したが、これに限らない。筒体部２１は、略角筒形状でもよい。この場合、枠体部２２の鍔２２２は略矩形環状に形成されてもよい。すなわち、連通孔２４の下面視形状が略矩形環状でもよい。
【０１２４】
また、例えば、上記の実施の形態では、枠体部２２（具体的には、鍔２２２）が開口２１３より奥に位置している例について示したが、これに限らない。枠体部２２（鍔２２２）は、開口２１３の開口面、すなわち、筒体部２１の外周壁２１１の下端と略面一になるように配置されてもよい。あるいは、枠体部２２は、開口２１３より外に位置していてもよい。この場合、連通孔２４は、鍔２２２の上面と筒体部２１の外周壁２１１の下端との隙間として、全周に亘って環状に形成されてもよい。
【０１２５】
また、例えば、上記の実施の形態では、枠体部２２がネジ４０によって筒体部２１に固定されている例について示したが、これに限らない。枠体部２２は、スナップインなどにより筒体部２１に係止していてもよい。
【０１２６】
また、例えば、上記の実施の形態では、光源ユニット１０がＬＥＤ素子を備える例について示したが、これに限らない。光源ユニット１０は、有機ＥＬ（Ｅｌｅｃｔｒｏ−Ｌｕｍｉｎｅｓｃｅｎｃｅ）素子、又は、レーザ素子などの固体発光素子を備えてもよく、あるいは、蛍光灯などの放電型ランプを備えてもよい。
【０１２７】
また、例えば、上記の実施の形態では、照明器具１の形状が筒状である例について示したが、これに限らない。照明器具１の形状は、例えば、平面視形状が矩形又は円形の扁平な箱体でもよい。例えば、照明器具１は、天井埋込型のダウンライト、投射型のスポットライト、スタンド式ライトでもよい。
【０１２８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１２９】
１  照明器具
１０  光源ユニット
２０  器具本体
２１  筒体部
２２  枠体部
２３  内部空間
２４  連通孔
４０  ネジ
２１１  外周壁
２１２  連結板
２１３  開口
２１４  凸部
２１５  ネジ穴
２１７  貫通孔
２２１  内周壁
２２２  鍔
【図１】
0006620974.tif 000002
【図２】
0006620974.tif 000003
【図３】
0006620974.tif 000004
【図４】
0006620974.tif 000005
【図５】
0006620974.tif 000006
【図６】
0006620974.tif 000007
【図７】
0006620974.tif 000008
【図８Ａ】
0006620974.tif 000009
【図８Ｂ】
0006620974.tif 000010
【図９】
0006620974.tif 000011